Podtech/llm-jp-corpus-v4-ja_patent huggingface dataset:
(57)【要約】【課題】芯ガイド５の前端に芯ホルダー６を設けて残芯を少なくするシャープペンシルにおいて、芯ホルダー６の取り付けを簡単に行うことができるシャープペンシルを提供する。【解決手段】シャープペンシルの先端にパイプ状の芯ガイド５を構成する。この芯ガイド５の先端５Ａを縮径するとともに、芯ガイド５の適宜位置を外方から力を加えて内方突起５Ｂを形成する。更に、芯ガイド５の先端５Ａと内方突起５Ｂの間にリング状の弾性部材からなる芯ホルダー６を取り付ける。【選択図】        図１
2005246613.tif 000002
【特許請求の範囲】
【請求項１】
内部に芯繰り出し機構を設けるとともに、先端にパイプ状の芯ガイドを設けたシャープペンシルにおいて、芯ガイドの先端を縮径するとともに、芯ガイドの適宜位置を外方から力を加えて内方突起を形成し、芯ガイドの先端と内方突起の間にリング状の弾性部材からなる芯ホルダーを取り付けたことを特徴とするシャープペンシル。
【請求項２】
芯ホルダーの外面と芯ガイドの内面との間に若干の隙間を形成したことを特徴とする請求項１記載のシャープペンシル。
【発明の詳細な説明】
【技術分野】
【０００１】
本発明は、先端に設けられたパイプ状の芯ガイド内に、弾性部材からなる芯ホルダーを取り付けたシャープペンシルに関する。
【背景技術】
【０００２】
従来、先部材の先端にパイプ材からなる芯保護管を有するシャープペンシルであって、芯保護管内に筒状の弾性部材を配置するとともに、前記芯保護管の前方内面には固定リングを固定せしめる一方、先部材の内面には段部を形成し、固定リングと段部とによって弾性部材の芯保護管に対する移動を規制したシャープペンシルが知られている。（特許文献１参照）
【特許文献１】特開２０００−１５９８６号公報（段落０００４）
【発明の開示】
【発明が解決しようとする課題】
【０００３】
解決しようとする課題は、先部材にパイプ材からなる芯保護管を取り付ける場合には、先部材と芯保護管の圧入寸法や芯保護管の突出量が短いと筆記しにくいという理由で芯保護管を長くしなければならなかった。この長い芯保護管内の弾性部材を固定リングと先部材の段部で移動を規制するためには、弾性部材を長く構成しなければならなかった。しかし、長い弾性部材を芯保護管内に内蔵することは、取付作業が非常に面倒になってしまうものであった。
【課題を解決するための手段】
【０００４】
本発明は、内部に芯繰り出し機構を設けるとともに、先端にパイプ状の芯ガイドを設けたシャープペンシルにおいて、芯ガイドの先端を縮径するとともに、芯ガイドの適宜位置を外方から力を加えて内方突起を形成し、芯ガイドの先端と内方突起の間にリング状の弾性部材からなる芯ホルダーを取り付けたことを第１の要旨とする。
【０００５】
また、芯ホルダーの外面と芯ガイドの内面との間に若干の隙間を形成したことを第２の要旨とする。
【発明の効果】
【０００６】
本発明のシャープペンシルは、パイプ状の芯ガイドの先端内段と内方突起の間にリング状の弾性部材からなる芯ホルダーを取り付けることにより、芯ガイドの先端部に芯ホルダーを簡単に取り付けることができるという利点がある。
【発明を実施するための最良の形態】
【０００７】
先端にパイプ状の芯ガイドを設け、芯ガイドの先端内段と内方突起の間に弾性部材からなる芯ホルダーを取り付け、芯残りが少ないシャープペンシルを実現した。
【実施例１】
【０００８】
図１により本発明のシャープペンシルを説明する。尚、図１の左側を前方とし、右側を後方とする。先ず、チャック１、締リング２等の芯繰り出し機構を内部に設けた口金３内にゴム製の芯保持部材４を構成する。更に、口金３の先端部にステンレス製のパイプ材からなる芯ガイド５を圧入固着する。この芯ガイド５は、図２に示すように先端５Ａが縮径されるとともに先端より若干後方位置を外方から力を加えて内方突起５Ｂを形成する。この内方突起５Ｂは円周状に形成しても良いが、等間隔に３箇所形成しても良い。この芯ガイド５の縮径された先端５Ａと内方突起５Ｂの間にゴム等のＯリングからなる芯ホルダー６が取り付けられる。この芯ホルダー６は芯７を保持した状態では、芯ガイド５の内面５Ｃ、内方突起５Ｂあるいは先端５Ａに接触して回転が防止される。また、芯ホルダー６が芯７を保持していない状態では、芯ガイド５の内面５Ｃと芯ホルダー６の外面との間に若干の隙間が形成されている。
【０００９】
また、芯ホルダーはＯリングに限らずリング状であれば種々の形状が利用可能である。
【００１０】
以上説明したシャープペンシルは、チャック１により芯７が繰り出されると、芯ホルダー６および芯保持部材４により適度の力で芯７が保持される。そして、使用中の芯７が短くなっても、芯ガイド５の先端位置に取り付けられた芯ホルダー６により保持される。そして、チャック１により繰り出された次の芯７により押された状態で筆記を行うことができる。つまり筆記中の芯７が残芯として排出される量は芯ガイド５の前端から芯ホルダー６の間までの距離となり非常に経済的となる。また、短くなった芯７を保持する芯ホルダー６は、芯ガイド５の内面５Ｃ、内方突起５Ｂあるいは先端５Ａに強く接触することにより回転が防止される。
【産業上の利用可能性】
【００１１】
芯ガイドの先端部に低コストで芯ホルダーを取り付けることができ、低価格で残芯が少なくなるシャープペンシルに適用できる。
【図面の簡単な説明】
【００１２】
【図１】本発明の実施例１のシャープペンシルを示す主要部断面図である。（実施例１）
【図２】実施例１の芯ガイドを示す拡大断面図である。（実施例１）
【符号の説明】
【００１３】
５  芯ガイド
５Ａ  芯ガイド５の先端
５Ｂ  芯ガイド５の内方突起
６  芯ホルダー
【図１】
2005246613.tif 000003
【図２】
2005246613.tif 000004
(57)【要約】【課題】    不要木材、建築廃棄木材を安全かつ品質の高い建築用材料に使用できるリサイクル製品の製造方法を提供する。【解決手段】従来、不要木材、建築廃棄木材をリサイクルするには、チップ、又は、おがくずにして再利用し農業、畜産関係での使用が一般的であった。  建築用材料として使用するには、防虫、防腐処理を施す必要があり化学薬品を使用する為、安全性に問題があつた。  本発明は、以上の問題を解決する為、ゲットウ（ショウガ科植物）特有の成分を配合することにより安全で防虫、防腐、また防臭効果をももつ製品となる。ゲットウは、生物学名(Alpinia  speciosa  Wendl．K．Schum)と呼び九州南端から沖縄および台湾からインドまで幅広く分布し、栽培されているので原料としての調達も容易である。【特許請求の範囲】
【請求項１】
ゲットウ(ショウガ科植物)特有の成分（防虫、防腐、防臭効果）を、不要木材、建築廃棄木材をチップ、おがくず化したリサイクル材料と組合せることにより防虫、防腐、防臭効果のある建築用材料としての使用方法。
【請求項２】
前記ゲットウより抽出したエキスと裁断した葉、茎を、同じく前記リサイクル材料（チップ、もしくは、おがくず）と混合攪拌し固化剤（セメント等）を加えると、防虫、防腐、防臭効果のあるブロック状の製品となる。
【発明の詳細な説明】
【技術分野】
【０００１】
本発明は、使用目的の少なかった不要木材、建築廃棄木材をリサイクルしたチップ材に、防虫、防腐、防臭効果のあるゲットウ成分を加えることにより化学薬品を使用しない環境に優しい安全な建築用材料として再利用するものである。
【背景技術】
【０００２】
チップ、おがくずは、有機材質な為、白蟻、湿気等に弱く建築用材料として使用するには、クレオソート等、化学薬品による防虫、防腐処理を施す必要があった。
その為、人間が直接手を触れる場所での使用が制限されていた。または、特開2004−33864のように糞尿等の浄化システムの処理剤としての活用が一般的である。
【特許文献１】特開2004−33864、2000−220247、平9−615
【発明の開示】
【発明が解決しようとする課題】
【０００３】
ゲットウ成分は、古くから漢方薬、又は食材として使用され、防虫、防腐、効果もある。現在は、化粧品、畳の下地材（防虫、防臭）としても活用されている。
その有効成分及び葉、茎を、リサイクル材料（チップ、おがくず）とを、図1のように配合することにより上記の効果をもたらす無害で安全な建築用材として幅広く活用できる。
【０００４】
例えば、ゲットウ成分を含んだ配合材料（おがくず）10  ：  固化材（セメント）2  ：  水  3を図2のように混合し型枠に流し込むことにより上記効果に断熱、通気性をもつ外壁材、または、直接現場打ちする雑草防止用透水性舗装材、そして屋上緑化用客土用材、への使用が可能である。
【０００５】
本発明は、今まで農業（堆肥）用、畜産（床材）用または、浄化システムの原料としての活用が一般的であったチップ材、おがくずを、建築用材料としての品質、安全性を高めることにより、リサイクル製品としての活用範囲が広くなる。
【課題を解決するための手段】
【０００６】
リサイクルで出たチップ材または、おがくず（１００リットル）とゲットウを裁断し粉剤にした分（１０リットル）とを同じくゲットウより汲出したエキス（１０リットル）を混合攪拌すると防虫、防腐、防臭効果を有した建築用材料（配合材料）となる。
また混合攪拌時に着色剤を混入すると多様な色彩の配合材料となる。
【発明の効果】
【０００７】
以上のように、従来までのリサイクル資材としてのチップ材、おがくずは、品質にばらつきがあり利用条件も限られていた。今回の発明により使用目的が広がり高級建築用材料としての需要が増えれば不要木材、建築廃棄木材等のリサイクルが増加し、よって産業廃棄物の減量につながるものと期待できる。
また、本製造方法によって製造された製品は、無害で安全な有機質を主原料としている為、使用後は、砕いて自然界へ戻すことができ、廃棄物処理の必要性が無くなる。
【発明を実施するための最良の形態】
【０００８】
ゲットウより抽出したエキスと裁断した葉、茎を、リサイクル材料（チップもしくは、おがくず）と混合撹拌し、固化剤（セメント等）を加えると防虫、防腐、防臭効果及び通気性のあるブロックタイプの製品となる。
【実施例】
【０００９】
本発明によって製造された建築用材料を骨材として固化剤（セメント等）で固化させると、適度な強度をもった通気性、透水性、保水性をもつブロックができる。
ブロックを外壁材として使用するとエアコン、扇風機のいらない少エネルギータイプの建物になる。また雑草防止用舗装材として使用する場合、敷き均し転圧を抑えながら厚みを5ｃｍで施工すると地下茎雑草の成長を押さえ、適度な強度（圧縮強度1.5Ｎ/平方メートル）と突出した透水性（透水係数Ｋt＝10-1）により樹木根元周りまで施工できる。
（おがくずがセメント等の固化成分を吸収してしまう為、軟らかいブロックとなる。）
【００１０】
屋上緑化用客土用材としての使用方法は、本建築用材料に炭粉を加えることにより植物が生育可能な環境をつくり、かつ軽量で客土厚も10ｃｍと薄く重量制限のある屋上には最適である（芝張り等に向いている）。
【図面の簡単な説明】
【００１１】
【図１】ゲットウとリサイクル材料（おがくず）の配合過程図
【図２】ゲットウ成分を含んだ建築用配合材料の活用法
【図１】
2005246653.tif 000002
【図２】
2005246653.tif 000003
(57)【要約】【課題】  食品残渣処理などに広く利用できる新規な固液分離装置を提供すること。【解決手段】  内径が前端に向かうに従って漸次小径に形成された筒状のケーシング内に、液体成分を含む処理物を前端に搬送するためのスクリューコンベアを備える略水平方向に設けられた第１手段と、第１手段のケーシングの前端から適宜後方の上部にその前端で接続された、前端を下方傾斜させたケーシング内にスクリューコンベアを備え、処理物を前端に搬送して第１手段のケーシング内に送り込むための第２手段と、第２手段のケーシングの上部に接続されたホッパーからなる処理物投入部を有し、第１手段のケーシングの前端に処理物を搬送する際に処理物から搾取される液体成分を、ケーシングの後端に向かって形成された下方傾斜を利用して捕集することで容器に貯留するとともに、液体成分が分離された後の固形分をケーシングの前端から外部に排出するようにしたことを特徴とする。【選択図】  図１
2005246473.tif 000002
【特許請求の範囲】
【請求項１】
内径が前端に向かうに従って漸次小径に形成された筒状のケーシング内に、液体成分を含む処理物を前端に搬送するためのスクリューコンベアを備える略水平方向に設けられた第１手段と、第１手段のケーシングの前端から適宜後方の上部にその前端で接続された、前端を下方傾斜させたケーシング内にスクリューコンベアを備え、処理物を前端に搬送して第１手段のケーシング内に送り込むための第２手段と、第２手段のケーシングの上部に接続されたホッパーからなる処理物投入部を有し、第１手段のケーシングの前端に処理物を搬送する際に処理物から搾取される液体成分を、ケーシングの後端に向かって形成された下方傾斜を利用して捕集することで容器に貯留するとともに、液体成分が分離された後の固形分をケーシングの前端から外部に排出するようにしたことを特徴とする固液分離装置。
【発明の詳細な説明】
【技術分野】
【０００１】
本発明は、食品残渣処理などに広く利用できる固液分離装置に関するものである。
【背景技術】
【０００２】
レストランなどから大量に排出される残飯・野菜クズ・生魚アラ・オカラなどの食品残渣は、これまで、埋めたて廃棄や焼却などによって処理されていた。しかしながら、このような方法は、コストやスペースの問題を有するのみならず、環境への負荷の点からも問題であることから、新たな方法として、食品残渣を構成する固形分と水分や油分とを固液分離し、水分や油分の含量を減らした固形分を肥料や飼料の原料として用いる方法が提案され、既に実用化されている。食品残渣をこのようにして処理する際に用いる固液分離装置としては、例えば、下記の特許文献１に記載されたようなものが既に知られているが、常により効率的に処理を行うことができる装置が追求されている。
【特許文献１】特開平７−３３０４７６号公報
【発明の開示】
【発明が解決しようとする課題】
【０００３】
そこで本発明は、食品残渣処理などに広く利用できる新規な固液分離装置を提供することを目的とする。
【課題を解決するための手段】
【０００４】
上記の技術背景に鑑みてなされた本発明の固液分離装置は、請求項１記載の通り、内径が前端に向かうに従って漸次小径に形成された筒状のケーシング内に、液体成分を含む処理物を前端に搬送するためのスクリューコンベアを備える略水平方向に設けられた第１手段と、第１手段のケーシングの前端から適宜後方の上部にその前端で接続された、前端を下方傾斜させたケーシング内にスクリューコンベアを備え、処理物を前端に搬送して第１手段のケーシング内に送り込むための第２手段と、第２手段のケーシングの上部に接続されたホッパーからなる処理物投入部を有し、第１手段のケーシングの前端に処理物を搬送する際に処理物から搾取される液体成分を、ケーシングの後端に向かって形成された下方傾斜を利用して捕集することで容器に貯留するとともに、液体成分が分離された後の固形分をケーシングの前端から外部に排出するようにしたことを特徴とする。
【発明の効果】
【０００５】
本発明によれば、食品残渣処理などに広く利用できる新規な固液分離装置を提供することができる。
【発明を実施するための最良の形態】
【０００６】
以下、本発明の固液分離装置を、食品残渣処理に用いる場合を例にとって、図面を参照しながら説明するが、本発明は以下の記載に何ら限定して解釈されるものではない。
【０００７】
図１は、本発明の固液分離装置の一実施の形態の概略構成図である。固液分離装置１は、内径が前端に向かうに従って漸次小径に形成された円筒形のケーシング２内に、液体成分を含む処理物を前端に搬送するためのスクリューコンベア３を備える略水平方向に設けられた第１手段と、第１手段のケーシング２の前端から適宜後方の上部にその前端で接続された、前端を下方傾斜させたケーシング４内にスクリューコンベア５を備え、処理物を前端に搬送して第１手段のケーシング２内に送り込むための第２手段と、第２手段のケーシング４の上部に接続されたホッパーからなる処理物投入部６を有する。食品残渣は、処理物投入部６から装置内に投入され、第２手段のスクリューコンベア５によってケーシング４の前端に搬送され、第１手段のケーシング２内に送り込まれる。第１手段のケーシング２内に送り込まれた食品残渣は、スクリューコンベア３によってケーシング２の前端に搬送される。第１手段のケーシング２は、略水平方向に設けられ、内径が前端に向かうに従って漸次小径に形成されているので、徐々に圧縮される食品残渣から水分や油分が搾取される。搾取された液体成分は、ケーシング２の後端に向かって形成された下方傾斜を利用して捕集され、ガイド７を伝って容器８に貯留される（少なくともガイド７の上部に位置するケーシング２の底部は網状部材９で構成しておく）。一方、液体成分が分離された後の固形分は、ケーシング２の前端に、閉止用蓋１０が所定の圧力で押圧されるまで押し込まれた後、閉止用蓋１０が開かれて外部に排出され、ガイド１１を伝って容器１２に貯留される。本発明の固液分離装置によれば、食品残渣を構成する固形分と水分や油分とを効率よく分離することができるので、食品残渣から肥料や飼料の原料となる固形分の取得が容易になる。
【０００８】
なお、本発明の固液分離装置は、食品残渣処理の他、家畜糞尿処理や食品加工などを行う際の、固形分と液体成分とを分離したい場面で広く利用することができる。
【産業上の利用可能性】
【０００９】
本発明は、食品残渣処理などに広く利用できる新規な固液分離装置を提供することができる点において産業上の利用可能性を有する。
【図面の簡単な説明】
【００１０】
【図１】本発明の固液分離装置の一実施の形態の概略構成図である。
【符号の説明】
【００１１】
１  固液分離装置
２  ケーシング（第１手段）
３  スクリューコンベア（第１手段）
４  ケーシング（第２手段）
５  スクリューコンベア（第２手段）
６  処理物投入部
７  ガイド（液体成分用）
８  容器（液体成分用）
９  網状部材
１０  閉止用蓋
１１  ガイド（固形分用）
１２  容器（固形分用）
【図１】
2005246473.tif 000003
(57)【要約】  【課題】  薄型化可能な人体センサ装置及び照明器具を提供する。  【解決手段】  略球状の人体センサ部１の前部を例えば後面が開口したケース２の孔３に挿入し、後部を前記ケース２の内面に収められるプリント基板４の略円形の孔５に挿入して、前記人体センサ部１を回転可能に挟み止めた人体センサ装置である。また、人体センサ部１の後端付近から導出する出力コード６をプリント基板４の裏面に接続している。そして、このような人体センサ装置を照明器具本体７またはそれに相当するものの下面に装備して照明器具を構成している。なお、孔３の内縁と人体センサ部１の前部外縁に各々細かな凹凸を設けて、振動などで回転位置がずれにくいようにしている。【選択図】  図１
2005197040.tif 000002
【特許請求の範囲】
【請求項１】
略球状の人体センサ部の前部をケースの孔に挿入し、後部を前記ケースの内面に収められるプリント基板の孔に挿入して、前記人体センサ部を回転可能に挟み止めた人体センサ装置。
【請求項２】
請求項１において、人体センサ部の後端付近から導出する出力コードをプリント基板の裏面に接続した人体センサ装置。
【請求項３】
請求項１または２記載の人体センサ装置を照明器具本体またはそれに相当するものの下面に装備した照明器具。
【発明の詳細な説明】
【技術分野】
【０００１】
本発明は、人体センサ装置及び照明器具に関する。
【背景技術】
【０００２】
照明器具などに使用される人体センサ装置では、略球状の人体センサ部を回転可能に挟み止めて人体センサ部の方向を可変として便宜を図っているが、人体センサ部の前部をケースの孔に挿入し、後部を前記ケースの内面に収められる固定枠の孔に挿入し、さらに前記ケースの内面に収められるプリント基板を固定枠の後方に設けていた。
【発明の開示】
【発明が解決しようとする課題】
【０００３】
しかし、ケースの高さが非常に高くなり、照明器具の薄型化を進めていく中で妨げとなっていた。また、可動する人体センサ部を回転可能に固定するための前記固定枠も必要となり、製造工数の増加及びコストアップの要因となっている。本発明はこのような解決すべき課題を鑑み、薄型化可能な人体センサ装置及び照明器具を提供することを目的とする。
【課題を解決するための手段】
【０００４】
本発明を要約すると、略球状の人体センサ部の前部をケースの孔に挿入し、後部を前記ケースの内面に収められるプリント基板の孔に挿入して、前記人体センサ部を回転可能に挟み止めた人体センサ装置である。
【発明の効果】
【０００５】
本発明によれば、人体センサ部の後部がプリント基板の孔に挿入されているため、ケースを薄型化できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、略球状の人体センサ部１の前部を例えば後面が開口したケース２の孔３に挿入し、後部を前記ケース２の内面に収められるプリント基板４の略円形の孔５に挿入して、前記人体センサ部１を回転可能に挟み止めた人体センサ装置である。また、人体センサ部１の後端付近から導出する出力コード６をプリント基板４の裏面に接続している。そして、このような人体センサ装置を照明器具本体７またはそれに相当するものの下面に装備して照明器具を構成している。なお、孔３の内縁と人体センサ部１の前部外縁に各々細かな凹凸を設けて、振動などで回転位置がずれにくいようにしている。
【０００８】
さらに詳述すれば、人体センサ部１は焦電型赤外線センサおよび前面レンズなどで構成した公知のものであり、また、プリント基板４はケース２の内部にて適宜手段で固定されている。
【０００９】
また、８は蛍光ランプであり、照明器具本体７とともに半透光性のグローブ９にて覆われている。なお、プリント基板４には図示されない部品が実装され、プリント基板４からは照明器具本体７に対して図示されない配線がなされる。
【００１０】
本実施形態によれば、人体センサ部１の後部がプリント基板４の孔５に挿入され、ケース２を薄型化できる。また、人体センサ部１から導出する出力コード６を人体センサ部１の回転の邪魔になりにくいように人体センサ部１の後端付近から導出してプリント基板４の裏面に接続している。そして、このような人体センサ装置を用いると照明器具の薄型化に非常に貢献できる。
【図面の簡単な説明】
【００１１】
【図１】人体センサ装置の断面図
【図２】同人体センサ装置を使用した照明器具の断面図
【符号の説明】
【００１２】
１  人体センサ部
２  ケース
３  孔
４  プリント基板
５  孔
６  出力コード
【図１】
2005197040.tif 000003
【図２】
2005197040.tif 000004
(57)【要約】      （修正有）【課題】ドアーキーを回転させることで外出時の施錠、帰宅時の開錠にスライドさせて電源を一括で入り、切りする電源制御システムを提供。【解決手段】分電盤内に電磁開閉器を取り付け、外出時にも必要な電源は電磁開閉器の一次側から、不必要な電源は二次側から取る。そして電磁開閉器のコイル電源をドアーキーのセキユリテイ用の信号線とつなぐことで入り切りさせる。また、電磁開閉器のコイルとドアーキーのセキユリテイ用の信号線とを分電盤内に取り付けたコネクターで接続する。【選択図】図２
2005197194.tif 000002
【特許請求の範囲】
【請求項１】
ドアキーのセキュリテイ用の信号（シリンダー内の接点スイッチの移動にて行う）を利用してキーの回転により通常の施錠、開錠（デッドボルトの移動にて行う）とスライドして一括で不必要な電源を遮断、復帰させる（冷蔵庫等必要電源は残す）ことを特徴とする制御システム（セキュリテイＯＮ信号を電源ＯＦＦ信号として、ＯＦＦ信号を電源ＯＮとして使う）
【請求項２】
上記の用件を満たすためにコネクターと電磁開閉器をとりつけたことを特徴とする請求項１記載のキー信号を受けるための分電盤
【発明の詳細な説明】
【技術分野】
【０００１】  この発明は、ドアのキーと分電盤の組み合わせに関する。
【背景技術】
【０００２】  集合住宅向けのセキュリテイ用に開発されたキー（外出確認のためのキー信号．美和ロックＤＡＦＫシリーズ参考）を使って開閉と電源を制御させるものである
従来は  デッドボルトの受け口に片切スイッチを設けるなどが主流でキーの開閉と同時に働くものである  カードリーダーでやる方法もかなり複雑でコスト面でも問題があり定着していない
【発明の開示】
【発明が解決しようとする課題】
【０００３】しかしながら、以上の技術によれば、照明を消すなど範囲が限られているし、キーと同時に働くので  常に消すか点けるかのどちらかしか選択の余地がない
そこで、この発明は、分電盤そのものを遮断するため  エアコン、クッキングヒーター、一般コンセントなど多岐にわたって制御できるうえ  防災面にもも省エネにも役立つ（たとえば蛍スイッチなど目印のための電気なども消すことができる）  また２段階方式をとっているため電源を残したまま施錠もできるという選択がとれる、また  そのうえ部品コストや作業の手間もかからないという利点を提供することを課題とする。
【課題を解決するための手段】
【０００４】  以上の課題を解決するために、第一発明は、分電盤内に電磁開閉器をとりつけ不在時にも必要な電源はこれより１次側からとり  不要な電源は２次側からとる  そしてこの開閉器のコイル電源を  ドアーキーのセキュリテイ用の信号線とつなぐことで入切させるを特徴とする制御システムである
また、第二発明は、このキー信号と連結する工事作業をワンタッチ化するためにコネクターをとりつけたことを特徴とする  コネクター付回路遮断分電盤である
【発明の効果】
【０００５】第一発明は  キーの操作一括で電源が制御するので個別の室内電源を確認しながら消す必要がない（つけたままの状態で  キーひとつで制御できる）ことである  またこのキーの特徴として  サムターンからでは電源ＯＦＦ（セキュリテイＯＮ機能がない）はできないので  室内にいる人が誤って電源ＯＦＦにすることもない  またキーの回転による２段階方式（キーの開閉と同時に電源の制御をするのでない）のため  通常のキー操作のみの施錠だけ（電源はそのまま）という選択幅をもたせることもできる
第二発明は分電盤にキーの信号線をつなぐのにコネクターをもうけることによりこの配線作業が簡単にできることである
【発明を実施するための最良の形態】
【０００６】  この発明の一実施形態を、
【図１】
及び
【図２】
、
【図３】
に示す。
【０００７】「実施形態の効果」
この実施形態によれば、まずキーを挿入して９０度回転させると通常の施錠となる  次にさらに２０度回転させる
【図１下段】
そうすると７と６の接点が離れ（６から３へ接点が移動する）  電磁開閉器のコイルの電源を切り離すこの結果  電磁開閉器の主回路の接点が離れこれより２次側の回路を遮断し電源ＯＦＦ状態となる  （図２，３図）
この状態でキーを挿入して  さっきとは逆に２０度戻しても  電源ＯＦＦは解除されない  さらに９０度戻すと開錠と同時に電源ＯＮとなる
【図１下段】
また  内側からは  サムターンの回転で通常の施錠と開錠、電源ＯＦＦ解除（サムターンの回転でシリンダー内の３から６の接点移動ができる）はできるがこちら側からは電源ＯＦＦ状態はつくれない（キーでないとシリンダー内の接点を６から３へ移動できない）
【図１上段】
つまり中から誤って電源ＯＦＦはできないしかつ外から誤って電源ＯＦＦされても中から解除できる
【０００８】「他の実施形態」
図１〜３の実施形態ではキーの信号線（シリンダー内の接点）を利用しているが他の実施形態ではデッドボルトの２箇所２段式を利用して受け口にバネ復旧式押しボタンを取り付けＢ接点を利用して直接電磁開閉器のコイルを入切する方法もある
【図４】
【図５】
この場合はドアーの裏側に制御線が露出しないという利点があるがサムターン側からでも電源ＯＦＦできる
またコネクター付分電盤はキーと盤のお互いのコネクターを削除して通常のジョイントＢＯＸ内にスリーブ等で圧着する方法もある
【図面の簡単な説明】
【０００９】
【図１】上段は内側のサムターンの動きである  ▲１▼電源ＯＦＦ＋施錠（外側よりキーの回転でされた場合である）  ▲２▼開錠（電源ＯＦＦのみ解除はできない）  ▲３▼施錠  （内側からは▲２▼，▲３▼の繰り返しのみ）  下段は  外側からのキーの動きである  ▲１▼左方向へ９０°＋２０°で施錠＋電源ＯＦＦ  ▲２▼右方向へ２０°＋９０゜で開錠＋電源ＯＮ（２０°だけではＯＮしない）  ▲３▼左方向へ９０°で通常の施錠  ▲４▼同上＋２０°で電源ＯＦＦ  （▲１▼〜▲４▼の繰り返し）
【図２】コネクター付分電盤の結線図である  残す電源と遮断する電源にわける
【図３】分電盤とキーの信号線との結線図である  図のようにキーの信号線３本のうち２本を分電盤の２本線とコネクターでつなぐ
2005197194.tif 000003
2005197194.tif 000004
【図１】
2005197194.tif 000005
【図２】
2005197194.tif 000006
【図３】
2005197194.tif 000007
【図４】
2005197194.tif 000008
【図５】
2005197194.tif 000009
(57)【要約】【課題】  従来の懐中電灯は、内蔵されている乾電池のために、大きく重たいものになり、常に携帯することは困難であった。  本発明は、携帯電話に内蔵されている電池を電源に利用し、発光ダイオード等を点灯させ懐中電灯の役割を持たせたものである。その為に、乾電池等を必要としなくなり、軽量、小型化が可能になる。さらには、乾電池を処分する際にできる産業廃棄物の軽減、製造する際に必要な資源等の節約にも繋がるものである。【解決手段】  懐中電灯部（１）の上部に発光ダイオード等（２）を設け、その下部に供給用コネクタ（３）を設ける。そして、懐中電灯部（１）の内部に供給用コネクタ（３）から発光ダイオード等（２）に送電するための導線（４）を設ける。  本発明は、以上のような構成よりなる携帯電話内蔵電池を電源とする外部接続型懐中電灯である。【選択図】  図１
2005197197.tif 000002
【特許請求の範囲】
【請求項１】
懐中電灯部の上部に発光ダイオード等を設け、その下部に供給用コネクタを設ける。さらに、内部に供給用コネクタから発光ダイオード等に送電するための導線を設ける。
【発明の詳細な説明】
【発明の詳細な説明】
【技術分野】
【０００１】  本発明は、乾電池を必要としない懐中電灯部に、携帯電話の充電用コネクタから携帯電話内蔵電池の電気エネルギーを供給するための供給用コネクタを設けた、携帯電話内蔵電池を電源とする外部接続型懐中電灯に関するものである。
【背景技術】
【０００２】  従来、乾電池を内蔵し、これを電源としたもの。また、ラジオ等を組み合わせた懐中電灯はあった。
【発明の開示】
【発明が解決しようとする課題】
【０００３】  これは、内蔵されている乾電池のために、懐中電灯が大きく重たいものになり、常に携帯することは困難であった。
本発明は、携帯電話に内蔵されている電池を電源に利用し、発光ダイオード等を点灯させ懐中電灯の役割を持たせたものである。その為に、乾電池等を必要としなくなり、軽量、小型化が可能になる。さらには、乾電池を処分する際にできる産業廃棄物の軽減、製造する際に必要な資源等の節約にも繋がるものである。
【課題を解決するための手段】
【０００４】  懐中電灯部（１）の上部に発光ダイオード等（２）を設け、その下部に供給用コネクタ（３）を設ける。そして、懐中電灯部（１）の内部に供給用コネクタ（３）から発光ダイオード等（２）に送電するための導線（４）を設ける。
本発明は、以上のような構成よりなる携帯電話内蔵電池を電源とする外部接続型懐中電灯である。
【発明の効果】
【０００５】  電源を持たない懐中電灯部に設けられた発光ダイオード等に、携帯電話の充電用コネクタから携帯電話内蔵電池の電気エネルギーを供給するための供給用コネクタと導線を設け、これを使用するときは、携帯電話の充電時に使用される充電用コネクタに、懐中電灯部の供給用コネクタを差し込むことにより、携帯電話に内蔵されている電池の電気エネルギーを供給用コネクタと導線により、発光ダイオード等に供給し、点灯させ懐中電灯の役割を持たせたものである。よって、電源を共用するために、乾電池等を必要としなくなり、軽量、小型化が可能になる。さらには、乾電池を処分する際にできる産業廃棄物の軽減、製造する際に必要な資源等の節約にも繋がるものである。
【発明を実施するための最良の形態】
【０００６】  以下、発明の最良の形態を説明する。
懐中電灯部（１）の上部に発光ダイオード等（２）を設け、その下部に供給用コネクタ（３）を設ける。そして、懐中電灯部（１）の内部に供給用コネクタ（３）から発光ダイオード等（２）に送電するための導線（４）を設ける。
本発明は、以上のような構造で、これを使用するときは、懐中電灯部（１）に設けられた供給用コネクタ（３）を携帯電話（５）の充電用コネクタ（６）に差込むことにより、携帯電話（５）に内蔵されている電池の電気エネルギーを供給用コネクタ（３）と導線（４）により、発光ダイオード等（２）に供給し、点灯させ懐中電灯の役割を持たせたものである。よって、電源を共用するために、乾電池等を必要としなくなり、軽量、小型化が可能になる。さらには、乾電池を処分する際にできる産業廃棄物の軽減、製造する際に必要な資源等の節約にも繋がるものである。
【実施例】
【０００７】  また、携帯電話のストラップ（７）との合体により、常に携帯することが可能となり、夜間外出時等の防犯の役目も持たすことができる。さらに、人形等のアクセサリー（８）との合体により一層のファッション性をもたすこともできる。【０００８】  さらに、携帯電話に内蔵されている電池を電源に利用するだけでなく、携帯電話（５）の充電用コネクタ（６）と同様のコネクタ（９）を二箇所に設けた変換コネクタ（１０）を使用することにより、電池式携帯電話充電器（１１）も電源に利用することができる。
【図面の簡単な説明】
【０００９】
【図１】  実施例に基づく部分断面図
【図２】  実施例に基づく正面図
【符号の説明】
【００１０】  １  懐中電灯部
２  発光ダイオード等
３  供給用コネクタ
４  導線
５  携帯電話
６  充電用コネクタ
７  ストラップ
８  人形等のアクセサリー
９  コネクタ
１０  変換コネクタ
１１  電池式携帯電話充電器
【図１】
2005197197.tif 000003
【図２】
2005197197.tif 000004
(57)【要約】【課題】様々な場所や場合によって頻繁に利用される電球の使用時間の基準である寿命が短い。【解決手段】一般的に電源から直接接続される電球に対して、電源と電球の間に電流調整回路を追加した状態で電流をボリュームにより適正にコントロールすることで長寿命化が得られる。【選択図】図１
2005197193.tif 000002
【特許請求の範囲】
【請求項１】
一般家庭で使用されている電球に関して今まで電球そのものの形状の変更を伴うか金属素材線の発光及び発熱原理を変更せず、長寿命化を図る技術が存在しなかった。
一般家庭で使用されているＡＣ（交流）電源を位相制御と言われる双方向サイリスタ（トライアックとも言われる）と呼称される半導体素子である電子部品により構成されたトライアックのＯＮ・ＯＦＦ動作時間制御による電流制限回路（位相制御ともいう）を利用した電子回路により交流電源を入力し接続された電球に対して任意に制限回路による電圧変化を加えることにより飛躍的な電球使用時間の長寿命化を実現し、経時劣化を飛躍的に減少させることが可能とする。
【発明の詳細な説明】
【背景技術】
【０００１】現存する技術において既存の一般的に使用されているガラス球形電球の使用を長時間化することが出来ない。
【発明が解決しようとする課題】
【０００２】様々な場所や場合において使用されている球形ガラス形状を利用した電球のフィラメントの切断による電球の寿命が限られている。
【課題を解決するための手段】
【０００３】様々な場所で利用されている電球と呼称される球形ガラスに特定の気体を入れる方法で設計されその内部に製造されたフィラメントと言われる発光及び発熱を伴う金属素材線（以下フィラメント）に電流を流すことで発熱及び発光作用を伴うことを利用して開発及び製造されている発光媒体（以下電球）に対して電源との接続方法に変更を加えることで電球そのもののフィラメントの切断により発光現象が無くなることからこれを基準とすることで使用不可と判断されるまでの使用期間を飛躍的に延長させることが可能になる。電源より電流調整回路を接続し、調整回路より電球に接続され使用に障害のない範囲で電源に対する正規規格利用の電球に対して９０％以下の電圧で調整することにより使用の長時間化が可能になる。
電流調整回路は双方向サイリスタと呼称されるトライアック（以下トライアック）という半導体を利用した電流制限回路で交流電流を特定の時間においてトライアックのＯＮとＯＦＦを繰り返す動作を発生させる電子回路で調整はＶＲ（ボリュームとも言われる）と呼称される電気抵抗の値を変更可能な抵抗器を言い、電流制限回路にて変更可能なのは電圧である。
確認使用可能時間（一般家庭での通常使用を条件する＝約１日１０時間以内）＝約１０年以上
【図面の簡単な説明】
【０００４】
【図１】電源より電流調整回路に接続され電球へと接続される。
【図１】
2005197193.tif 000003
(57)【要約】【課題】  水晶振動子では、パッケージがリッドや回路基板との熱膨張係数の違いにより発生するそりや変形が水晶板に影響を与え、周波数変動を発生させるおそれがあったので、それを解決する必要がある。【解決手段】  本発明は、水晶板の支持具として水晶板のほぼ中央に支持具の基部を設けそこから延びる支持腕の先端部で水晶板を支持して、機械的ストレスの少ない支持具により、安定な周波数の水晶振動子が得られた。【選択図】    図１
2005197801.tif 000002
【特許請求の範囲】
【請求項１】
気密封止され、水晶板を支持具により支持された水晶振動子において、  パッケージと1ヶ所で保持される基部と、該基部から複数本の支持腕が延び、支持腕の先端部で水晶板を保持したことを特徴とする水晶振動子。
【請求項２】
請求項１の該支持腕が4本であることを特徴とする水晶振動子。
【発明の詳細な説明】
【技術分野】
【０００１】
本発明は、パッケージのストレスを受けにくい水晶振動子に関する。
【背景技術】
【０００２】
水晶振動子は、電子機器のクロック源や信号源として広く利用されている。クロック源や信号源であるのでより高安定な発振器が求められており、特に水晶板の支持に関しては、いろいろな工夫がこらされている。
【０００３】
水晶振動子は、気密封止するためパッケージに納めなければならない。気密パッケージは、ハーメチックやセラミックのパッケージで、直接パッケージに載置されるか、支持具に載置され支持される。しかしパッケージとリッド（蓋）が異なった材料の場合、封止後にリッドが金属で、パッケージがセラミックの場合に、リッドの方が膨張率が大きく、セラミックパッケージがそってしまう。またパッケージが回路基板に固着された時に、回路基板とパッケージとの膨張率の違いにより、パッケージがそる。このため水晶板に機械的ストレスがかかり、周波数が変化する可能性がある。水晶板が引っぱられたり、押されたりすることにより、周波数が変化する。よって出来るだけ水晶板に機会的ストレスがかからないような支持具を用いる必要がある。
【０００４】
図２は、従来技術の例を示す断面図であり、水晶振動板1０がセラミックパッケージ１２の支持台1１に載置されている。振動板の両端がセラミックパッケージに載置されて固着されているため、振動板に機械的ストレスがかかるおそれがある。気密封止のために、蓋１３が被せられ、真空雰囲気や乾燥窒素雰囲気等で封止されている。
【０００５】
水晶振動子の中でもＡＴカットの水晶板が使用される。ＡＴカットは、温度特性が三次曲線を持ち、広範囲な温度範囲で利用できる。また恒温槽に入れ、一定温度にすることにより、高安定な水晶振動子や発振器が得られる。またＳＣカットの水晶板を用いると、より安定な発振周波数を得ることが出来る。
【特許文献１】特願２００１−１４４５７２号公報
【発明の開示】
【発明が解決しようとする課題】
【０００６】
本発明が解決しようとする問題点は、例えば最近よく利用されるセラミックパッケージでは、直接パッケージに支持台を設け、その支持台の上に直接水晶板を導電性接着剤や金パンプ等で固定するが、温度の変化によってセラミックのそりや変形が水晶板にかかり、機械的ストレスとなって周波数を変化させる。そのため水晶振動板に機械的ストレスが少ない支持具を持つ水晶振動子が必要とされてきた。
【０００７】
特許文献１では、水晶板の両端部を支持した例が示されている。しかし水晶板の両端を支持すると、パッケージが温度変化によって回路基板やリッドとの膨張率の違いによりそりや変形が起きるために、水晶板に機械的ストレスがかかり、周波数変化を生じてしまう。特に放送機器や基準発振器等に使用される高安定水晶発振器では、極力水晶に与える機械的ストレスを少なくする必要があり、そのため支持板を軟構造にする等の工夫をしていた。
【課題を解決するための手段】
【０００８】
本発明は、気密封止され、水晶板を支持具により支持された水晶振動子において、パッケージと1ヶ所で保持される基部と、該基部から複数本の支持腕が延び、支持腕の先端部で水晶板を保持したことを最も主要な特徴とする。
【発明の効果】
【０００９】
本発明は、機械的ストレスを少なくするため、水晶板の支持具を水晶板のほぼ中央部に位置する固着基部から伸びる支持腕の先端部で支持した支持具を用いた水晶振動子により、パッケージの影響を極力少なくすることが出来た。支持腕と水晶振動板とは膨張率の近い材料を選択しており、この影響は受けない。
【発明を実施するための最良の形態】
【００１０】
本発明により特に4方向に延びる支持腕の場合、９０度の角度で支持されているので、たとえ支持腕の膨張係数が水晶と多少異なっていても温度の変化により縦・横均一に機械的ストレスがかかるので、機械的ストレスによる影響を少なくすることを可能とした。
【実施例】
【００１１】
図１(ａ)は、本発明を説明する平面図、図1(ｂ)は断面図である。パッケージ１に支持具２が固定されている。支持具２は、基部３と支持腕４とからなり、水晶板５として、この例では丸板の水晶板を用いており、ほぼ中心に位置したところでパッケージ1と支持具２が固着されている。図面では水晶板５は点線で示している。支持具は、固着部から本例では９０度の角度で４方向支持腕が延びており、その先端部に水晶板を固着している。なお本実施例の図では励振電極は省略している。
【００１２】
支持腕は、絶縁性の材料の場合には、電極の引き回しのために、メタライズしている。パッケージ1との接続部分は、1点のみであり、基部３と支持腕4とは、それぞれ別々の部品でも良いが一体構造であってもよい。支持腕は、水晶に近い膨張率を持つセラミックを使用するが、絶縁材料として水晶を使用すると、水晶板と同じ線膨張係数を持つので、理想的である。最後にリッド（蓋）で気密構造としている。
【００１３】
本発明は、水晶振動子のほぼ中央部にパッケージとの接続点が１点あり、そこから延びる支持アーム（腕）の先端部で支持されることにより、パッケージの温度による伸び縮みの影響を極力少なくすることが出来た。これは４方バランスよく伸び縮みするので水晶板に与える影響が少なくなる。
【００１４】
本実施例の支持具は、水晶板の中心から４方に延びる支持腕の例を示したが、４本に限らず、３本以上であれば効果は同様であり、もっと支持腕が必要な場合には接続点より放射状に支持腕を伸ばし、その先端部で支持することにより、パッケージが温度変化によりリッドや回路基板からとの熱膨張係数の違いによるそりや変形が水晶板に影響を与えることはない。また水晶板でＡＴカットばかりでなく、ＳＣカットでもっとも効果を奏する。
図１では、水晶板として平面板を図示しているが、もちろんコンベックス振動板などであっても効果は同様である。
【産業上の利用可能性】
【００１５】
本発明は、高安定水晶振動子に限らず、通常の水晶振動子や他の圧電振動子、共振子であっても適用できる。
【図面の簡単な説明】
【００１６】
【図１】図1(ａ)は本発明の実施例を示す平面図、図1(ｂ)は本発明の実施例を示す断面図である。
【図２】図２は、従来技術を示す断面図である。
【符号の説明】
【００１７】
1      パッケージ
２      支持具
３      基部
４      支持腕
５      水晶板
【図１】
2005197801.tif 000003
【図２】
2005197801.tif 000004
(57)【要約】【課題】一般利用者がテレビ電話(携帯テレビ電話含む)及びパソコンを使用して各業界の有名人・知名人に対話できる有料対話システム(仮称)ドリームユウを提供する。【解決手段】一般利用者の専用テレビ電話(携帯テレビ電話含む)末端装置及びパソコン用末端装置接続機から,各業界の有名人・知名人に対話するには, 各業界の事務所の専用アダプター接続機械に電話番号を入力アクセスする。各業界の事務所がそれぞれの有名人・知名人の専用テレビ電話(携帯テレビ電話含む)末端装置及びパソコン用末端装置接続機へ接続し対話する。各事務所と(仮称：ドリ―ムユウ)に接続されたタイマーによるカウント機より課金が開始する。一般利用者が専用テレビ電話(携帯テレビ電話含む)末端装置での対話システムを終了すると課金を終了し,料金表示表により,接続時間に対する料金を自動算出する。一般利用者は,月単位でプロバイダ料金及び対話にかかった料金も請求される。【選択図】    図1
2005197921.tif 000002
【特許請求の範囲】
【請求項１】
日本国内及び全世界で利用できるシステムでその為に必要なテレビ電話(携帯テレビ電話
も含む)及びパソコンを使用して,一般の人が各業界の有名人・知名人と対話利用出来る
有料対話システム(仮称：ドリームユウ)である。
【請求項２】
前記対話利用に必要なテレビ電話(携帯テレビ電話含む)及びパソコンには, 接続に必要な
専用アダプター接続機能付である。
【請求項３】
各業界の有名人・知名人は,個々の各事務所(個人も含む)と契約し, その個人の名前・対話料金その他情報をシステムを有する(仮称：ドリームユウ)に登録する。
(仮称：ドリームユウ)は契約した１社又は複数の代理店サーバーに個人の情報を開覧する。
代理店サーバーは契約した一般利用者に対して有料又は無料で開覧する。その際に一般
利用者には,情報が開覧出来る専用のテレビ電話末端装置及びパソコンに接続する末端装
置接続機を個人で購入する。各事務所に一般利用者からアクセスすると専用接続機に接続
され,各事務所から個々の有名人・知名人に接続する専用テレビ電話(携帯テレビ電話含む)末端装置及びパソコンに接続する末端装置接続機に接続し,対話利用できる有料対話シス
テムである。
【請求項４】
一般利用者が購入する専用テレビ電話(携帯テレビ電話含む)末端装置及びパソコンに接続
する末端装置接続機には,代理店サーバーより開覧する各有名人・知名人の名前・対話料金(１分間)・接続に必要な待ち時間・対話したい項目・目的と個人の尊重を守る為の取決め事項(例：各有名人・知名人に対して,失礼があれば,各有名人・知名人側が一方的に電源を切る事が出来る)等が見られる装置である。このシステムを使用しない場合には,通常の電話・テレビ電話通信設備及び通常のパソコン操作が使用出来るものである。
【請求項５】
請求項4の専用末端装置から電話アクセスで,各事務所に設置された専用の接続機には
一般利用者が,代理店サーバーと契約しないとアクセス出来ないスクランブル機能付で
あり又,不法進入防止機能も付く。一般利用者が開覧し終え,対話したい有名人・知名人
に専用の接続機は速やかに接続するものである。
【請求項６】
又,有名人・知名人が購入する専用テレビ電話(携帯テレビ電話含む)末端装置及びパソコンに接続する末端装置接続機に各事務所が接続し終え, 一般利用者と対話する。このシステムを使用しない場合には,通常の電話・テレビ電話通信設備及び通常のパソコン操作が使用出来るものである。
【発明の詳細な説明】
【技術分野】
【０００１】
本発明は,各業界の有名人・知名人と一般人がお互いの顔を確認出来る,テレビ電話(携帯
テレビ電話含む)及びパソコンを使用する,有料対話システムである。
【背景技術】
【０００２】
有料対話システム(仮称：ドリームユウ)とは,通常一般人の間で,対話利用している事を各
業界の有名人・知名人と対話利用出来る仕組にある。
【０００３】
前記の目的としては,一人暮らしの方が,各業界の有名人・知名人と直接対話出来,心が和む。
叉,男女カップルの相手に各業界の有名人・知名人からの,メッセイジプレゼントのサービ
スが出来る。又、スポーツのアドバイスを直接プロスポーツ選手から指導を受ける事が出来る。又、有名人・知名人のファンとしていろいろな話(対話)が出来る。
【０００４】
各業界の有名人・知名人とは(タレント・歌手・スポーツ人・映画俳優・その他の人)である。
【発明の開示】
【発明が解決しようとする課題】
【０００５】
一般利用者の専用テレビ電話(携帯テレビ電話含む)末端装置及びパソコン用末端装置接続
機(個人が購入)から、各業界の有名人・知名人に対話するには、各業界の事務所の専用アダプター接続機械(事務所が購入)に電話番号を入力アクセスする。各業界の事務所がそれぞれの有名人・知名人の専用テレビ電話(携帯テレビ電話含む)末端装置及びパソコン用末端装置接続機(事務所が購入)へ接続し対話する。各事務所と(仮称：ドリ―ムユウ)に接続されたタイマーによるカウント機より課金が開始する。一般利用者が専用テレビ電話(携帯テレビ電話含む)末端装置での対話システムを終了すると課金を終了し、料金表示表により接続時間に対する料金を自動算出する。料金及び対話時間の記録は、各業界の事務所と有料対話システム(仮称：ドリームユウ)と代理店サーバーに接続した、ハードディスク・録画機に記録する。
【０００６】
有料対話システム(仮称：ドリームユウ)業務を運営する上で, 専用テレビ電話(携帯テレビ電話含む)末端装置及びパソコン用末端装置接続機が必要で,その機械及び費用は1社又は複数の製作メーカーが負担する必要がある。
【０００７】
有料対話システム(仮称：ドリームユウ)業務を運営する上で, 一般利用者から特別の電話番号にアクセスすると接続される接続機が必要で, その機械及び費用は1社又は複数の製作メーカーが負担する必要がある。
【課題を解決するための手段】
【０００８】
専用テレビ電話(携帯テレビ電話含む)末端装置及びパソコン用末端装置接続機については、1社又は複数の製作メーカーが製作した機械を代理店サーバーに1台当りの価格契約で注文販売し、代理店サーバーは、一般利用者に販売する。
【０００９】
一般利用者から特別の電話番号にアクセスすると接続される接続機については、1社又は
複数の製作メーカーが製作した機械を各事務所に1台当りの価格契約で注文販売する。
【発明の効果】
【００１０】
以上説明したように本発明は有名人・知名人など特別な人と一般的に利用できるシステム
で、対話料金も自動的に微収できるものである。
【図面の簡単な説明】
【００１１】
【図１】有料対話システムを表す図面である
【図１】
2005197921.tif 000003
(57)【要約】【課題】どんな震動でもナットがゆるむ事がないように固定できる金具を提供する。【解決手段】図２の金具をはめる事でナットを固定して、▲４▼吊金具の高さ調整を簡単にできる用にする。【選択図】図１
2005172212.tif 000002
【特許請求の範囲】
【請求項１】
吊金具とナットに、かぶせて固定する金具。
【発明の詳細な説明】
【発明の詳細な説明】
【技術分野】
【０００１】本発明は、▲２▼上のナットを使わずに、▲３▼下のナットにかぶせて回転を止めて、▲４▼吊金具の高さ調整をする用にしたものです。
【背景技術】
【０００２】従来は、▲４▼吊金具を▲２▼上のナットと▲３▼下のナットをしめて固定していた。
【発明が解決しようとする課題】
【０００３】従来は、上下のふたつのナットでしめていたが、ゆるむことがあり、ゆるむと▲３▼下のナットが空回りして落ちる事がありました。
【課題を解決するための手段】
【０００４】ナットは回らなければ下がりません、そこで図２の金具（厚さ約０．６〜０．８ｍｍ）をはめて固定するようにしました。
【発明を実施するための最良の形態】
【０００５】以下、本発明の形態について説明する。
（イ）鉄板（厚さ約０．６〜０．８ｍｍ）を折り曲げて、図２の形に作った金具です。
（ロ）図▲２▼の金具が、図１の用にナットにかぶせ、▲６▼ボルトのネジ山にさしこみ▲５▼つめを折り曲げて固定します。
【発明の効果】
【０００６】（イ）従来の図３の用に▲１▼ボルトに▲２▼ナットを上げて▲４▼吊金具を通して▲３▼ナットを付ける作業がはぶけます。
（ロ）▲１▼ボルトに▲３▼ナットを付けるだけで、▲１▼ボルトを吊る時に▲４▼吊金具を上から通して吊れるので作業の短縮になります。
【図面の簡単な説明】
【図１】本発明の使用状態を示す斜面図
【図２】本発明の金具の斜面図
【図３】従来の斜面図
【図４】平面図
【図５】底面図
【図６】右側面図
【図７】正面図
【符号の説明】
▲１▼９ｍｍボルト
▲２▼上のナット
▲３▼下のナット
▲４▼吊金具
▲５▼つめ
▲６▼ボルトのネジ山にささる部分
【図１】
2005172212.tif 000003
【図２】
2005172212.tif 000004
【図３】
2005172212.tif 000005
【図４】
2005172212.tif 000006
【図５】
2005172212.tif 000007
【図６】
2005172212.tif 000008
【図７】
2005172212.tif 000009